(57)【要約】【課題】短期間で効果的に、かつ人畜や環境への影響も全くなく、本来あるべき自然環境に戻し、松枯れを防止できる松枯れ防止方法および松枯れ防止剤を提供すること。【解決手段】多くのミネラル、アミノ酸、良質の微生物及びフルボ酸鉄を含むかき殻にさらにフルボ酸鉄またはフミン酸鉄を添加した松枯れ防止剤を松に与え、前記松が分泌する松ヤニの量を増加させ、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止する松枯れ防止方法。【選択図】図４
2019141016.tif 000002
【特許請求の範囲】
【請求項１】
多くのミネラル、アミノ酸、良質の微生物及びフルボ酸鉄を含むかき殻にさらにフルボ酸鉄またはフミン酸鉄を添加した松枯れ防止剤を松に与え、前記松が分泌する松ヤニの量を増加させ、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止することを特徴とする松枯れ防止方法。
【請求項２】
前記松枯れ防止剤に、フルボ酸をさらに添加することを特徴とする請求項１に記載の松枯れ防止方法。
【請求項３】
松に与えることによって、前記松が分泌する松ヤニの量を増加させて、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止する松枯れ防止剤であって、フルボ酸鉄を含むかき殻にさらにフルボ酸鉄またはフミン酸鉄を添加してなることを特徴とする松枯れ防止剤。
【発明の詳細な説明】
【技術分野】
【０００１】
本発明は、松枯れ防止方法および松枯れ防止剤に関する。
【背景技術】
【０００２】
従来、松枯れは、マツノザイセンチュウ（以下、適宜ザイセンチュウと記載する）という線虫によって起こると言われている。ザイセンチュウは、マダラカミキリムシ（以下、適宜カミキリと記載する）の媒介によって松に寄生すると考えられている（例えば、特許文献１）。
【先行技術文献】
【特許文献】
【０００３】
【特許文献１】特開平１０−２７９４０５号公報
【発明の概要】
【発明が解決しようとする課題】
【０００４】
従来、特許文献１の他、カミキリの駆除のために、駆除剤を空中散布したり、樹幹に直接注入したりする方法がとられている。しかしながら、従来の駆除方法は、必ずしも短期間で効果を上げているものではない。また、駆除剤の空中散布の場合、天候の影響を受けやすかったり、人畜や環境への影響を考慮して作業時間が制限されたりするなどの問題がある。また、林野庁のデータによれば、松枯れの被害対策によって、過去２０年で松枯れが半減したとのことであるが、よりスピードアップした対策が望まれる。しかし、人畜の健康への影響の懸念に対しても考慮しなくてはならない。
【０００５】
本発明は、上記に鑑みてなされたものであって、短期間で効果的に、かつ人畜や環境への影響も全くなく、本来あるべき自然環境に戻し、松枯れを防止できる松枯れ防止方法および松枯れ防止剤を提供することを目的とする。
【課題を解決するための手段】
【０００６】
上述した課題を解決し、目的を達成するために、本発明の一態様に係る松枯れ防止方法は、フルボ酸鉄、多くのミネラル、アミノ酸、良質の微生物などを含むかき殻を松枯れ防止剤として松に与え、前記松が分泌する松ヤニの量を増加させ、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止することを特徴とする。
【０００７】
本発明の一態様に係る松枯れ防止方法は、前記松枯れ防止剤のかき殻に含まれるフルボ酸鉄のミネラル等の溶解、吸収を加速する触媒効果が大きいことを特徴とする。好ましくは、さらなる加速のために、さらにフルボ酸、フルボ酸鉄またはフミン酸鉄を添加する。
【０００８】
本発明の一態様に係る松枯れ防止剤は、松に与えることによって、前記松が分泌する松ヤニの量を増加させて、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止する松枯れ防止剤であって、フルボ酸鉄を含有するかき殻を主成分に含むことを特徴とする。
【０００９】
本発明の一態様に係る松枯れ防止剤は、フルボ酸、フルボ酸鉄、またはフミン酸鉄をさらに添加してなることを特徴とする。フルボ酸鉄を含有する粉体かき殻が水分を与えられると、フルボ酸鉄の触媒作用によって多くのミネラル等が溶解し、松での吸収が始まるが、それをさらに加速するために、フルボ酸、フルボ酸鉄、またはこれらと同様の触媒能力を持ち、安価なフミン酸鉄を加えることが好ましい。
【発明の効果】
【００１０】
本発明によれば、短期間で効果的に、かつ人畜や環境への影響も全くなく、本来あるべき自然環境に戻し、松枯れを防止できるという効果を奏する。
【図面の簡単な説明】
【００１１】
【図１】図１は、枯れたサンプルの松の写真を示す図である。
【図２】図２は、枯れたサンプルの松の幹の写真を示す図である。
【図３】図３は、元気なサンプルの松の写真を示す図である。
【図４】図４は、元気なサンプルの松の幹に穴を開けた写真を示す図である。
【発明を実施するための形態】
【００１２】
以下に、本発明の実施形態を詳細に説明する。なお、この実施形態によりこの発明が限定されるものではない。
【００１３】
本発明者らは、松枯れの原因がザイセンチュウであることをさらに詳細に調査したところ、特に松が生えている土壌の免疫力の低下や土壌汚染（土壌の酸性化）が有る場合に、松が分泌する松ヤニの減少、濃度の低下、固化などが発生し、このような松では松枯れが発生しやすいと考えた。そして、かき殻とフルボ酸鉄とを成分に含む松枯れ防止剤を松が生えている土壌に撒布することで、松が分泌する松ヤニの量を増加させ、また濃度を濃くし、松の松枯れを防止できることに想到した。
【００１４】
かき殻には、例えば、酸化チタン４１ｐｐｍ、カルシウム４５質量％、鉄６２００ｐｐｍ（多くはフルボ酸鉄として存在）、亜鉛４３．４１ｐｐｍ、マンガン１４００ｐｐｍ、カリウム３２０ｐｐｍ、リン１６００ｐｐｍ、マグネシウム５２００ｐｐｍ、セレン５２２０ｐｐｍ、モリブデン２７４８ｐｐｍ、珪素７１００ｐｐｍ、銅８．６１ｐｐｍ、ナトリウム１．５５質量％、ゲルマニウム５ｐｐｍ未満、クロム１ｐｐｍ未満、ニッケル１ｐｐｍ未満、リチウム２ｐｐｍ未満、バナジウム２ｐｐｍ未満、キチン質、炭素、ラミナリン、コンキオリン有機窒素１５質量％、酸素、水素、硫黄、ヨウ素、フルボ酸、などが含まれる。
これらのミネラル類は、植物の成長に有用である。
【００１５】
本発明の松枯れ防止剤は、フルボ酸鉄の触媒作用により、水に溶けないかき殻に含まれるミネラル類を溶出させることができる。また、フルボ酸鉄やフルボ酸は、酸性土壌を改善し、溶出したミネラル類が植物に吸収されるのを促進させると考えられる。このため、フルボ酸鉄を含むかき殻を松枯れ防止剤として土壌に投与することで、植物にとって成長に必要なミネラル類を利用しやすく、植物の生長促進効果が高くなる。なお、フミン酸鉄にもフルボ酸鉄と同様の効果があるので、本発明の松枯れ防止剤はフミン酸鉄（例えばカナディアンフミン酸鉄）をさらに添加してもよい。また、フルボ酸をさらに添加してもよい。
その結果、本発明の松枯れ防止剤を投与した土壌はｐＨが上がるとともに免疫力が向上し、そこに生えている松の松ヤニの量が増加する。
【００１６】
松ヤニの量が増加することによって松枯れを防止できる理由は明確ではないが、例えば以下のように考えられる。すなわち、松枯れは、カミキリが元気な松の細い枝をかじった傷からザイセンチュウが樹体内に侵入し、樹脂道（松ヤニの通り道）を通って樹体全体に広がり、松の細胞から栄養を摂取する。これに伴って、樹体内の水の通路から水分が無くなり、樹液が上昇できなくなることで起こると考えられる。このとき、松ヤニの量が多い、また松ヤニの濃度が濃い場合、ザイセンチュウは松の樹体内に侵入できなくなると考えられる。侵入できなくなる理由は、松ヤニとザイセンチュウの体液との浸透圧差であると考えられる。また、本発明の松枯れ防止剤の投与によって松ヤニのｐＨが７〜７．５に上昇し、この松ヤニによる殺虫効果もあると考えられる。
【００１７】
なお、松は活性期が早く、２月頃から芽が出始めて、４月には枝が伸びる。また、松枯れは１年間の間に急速に進行する。本発明者らの調査によれば、ザイセンチュウは、６月ごろにカミキリの体内から元気な松の細い枝に、例えば一頭のカミキリから一万匹が擦り付けられ、そこで松の樹体に入り込んだザイセンチュウは、一匹が約１００個の卵を産むとされ、急激に繁殖する。さらに、１本の松にカミキリが複数頭存在することが考えられるので、その繁殖数は莫大であり、秋までは松を枯らす。そこで、年末（例えば１１月から１２月頃）から２月頃までに本発明の松枯れ防止剤を土壌に撒布すると、６月頃に松ヤニの濃度と樹液のｐＨが最大になる。従って、年末から２月頃までに本発明の松枯れ防止剤を土壌に撒布することによって、ザイセンチュウがカミキリから松にすりつけられるタイミングで松ヤニの濃度と樹液のｐＨが最大になるので、ザイセンチュウの松への侵入を効果的に防止し、松枯れを防ぐことができる。
【００１８】
また、カミキリは９月頃、松に産卵するが、このとき枯れた松に産卵する。その理由は、カミキリの卵は元気な松に産み付けられても、元気な松の多量または濃度の高い松ヤニに包まれて死んでしまうからである。カミキリは、枯れた松が放つ匂いをもとに産卵する松を選択すると考えられる。従って、本発明の松枯れ防止剤は、ザイセンチュウの松への侵入を防止するだけでなく、たとえカミキリに卵を産み付けられても、松ヤニによって卵を駆除することができるので、カミキリの繁殖を抑制することもできる。
【００１９】
なお、土壌のｐＨについては、雨水の酸性化（例えば、群馬県環境政策課によればｐＨ４．４〜４．９程度の雨水）などが土壌の酸性化の原因と考えられ、土壌のｐＨが４．０以下であると、樹体内の松ヤニの濃度が低下し、流動性を失い、根の活性が低下し、樹体内の水分や栄養分の吸収、循環が大幅に阻害されると考えられる。また、土壌のｐＨが６．０位の場合、元気な松であってもカミキリを媒介してザイセンチュウが寄生し、繁殖すると考えられる。これに対して、本発明の松枯れ防止剤は、土壌のｐＨを上げることができ、松に抗酸化性も付与し、樹液のアルカリ性を高め、松ヤニや栄養分が増大し、松ヤニの流動性が高くなる。その結果、松が元気になるので、松枯れ防止に効果的である。
【００２０】
また、枯れた松は、伐採後にその場所に放置せず、木質バイオマス発電や製紙用パルプチップなどに活用し、カミキリやザイセンチュウの繁殖を防止することが重要である。
【００２１】
本発明の松枯れ防止剤によれば、後の実施例で示すように短期間で効果的に、かつ天然由来の成分であるので人畜や環境への影響も少なく、松枯れを防止できる。
【００２２】
本発明の松枯れ防止剤は、焼成等の熱処理したかき殻にフルボ酸やフルボ酸鉄やフミン酸鉄や腐植土を添加したものも含まれるが、熱処理せずに、例えば天日干し等の自然乾燥をさせたかき殻のほうが、フルボ酸およびフルボ酸鉄が豊富に含まれており、短期間でミネラルなどの溶解と吸収の効果を発揮するので好ましい。
本発明の実施例の松枯れ防止剤は、例えば質量％として、窒素０．１８％、リン０．１６％、カリウム０．０３％、カルシウム４５．０％、フルボ酸鉄０．６２％、マグネシウム０．５２％、銅０．０８％、モリブデン０．２７％、亜鉛０．０４％、セレン０．５２％、その他かき殻由来の６０〜７０種類のミネラルとアミノ酸とを含むものである。なお、アミノ酸は、かき殻に付着または取り込まれた藍藻（海藻の一種）に由来するものと考えられる。また、これにさらにフルボ酸鉄又はフミン酸鉄を３．０質量％程度以上添加してもよい。ただし、本発明はこれらの質量％には限定されない。
【００２３】
本発明の松枯れ防止剤を使用する際は、例えば、松が生えている土壌の表面積１００ｍ２に対して１袋（２０ｋｇ）を年１回撒布することで松枯れの防止の効果を得ることができる。この効果は、たとえば約３年、持続性が確保される。また、神社、仏閣などの直径４０ｃｍ以上の松の木には、たとえば１回に２袋を撒布する。
【００２４】
以下、同じ敷地内に散在する松に対して、本発明の実施例の松枯れ防止剤を土壌に撒布したものとしないものとで比較を行った。
【００２５】
本発明の実施例の松枯れ防止剤を、松島産のかき殻を乾燥させ、かき殻１００ｋｇに、フミン酸鉄を３ｋｇだけ加えて４ｍｍ以下の粒径に粉砕し、これを攪拌することで製造した。この実施例の松枯れ防止剤は、質量％として、窒素０．１８％、リン０．１６％、カリウム０．０３％、カルシウム４５．０％、フルボ酸鉄０．６２％、マグネシウム０．５２％、銅０．０８％、モリブデン０．２７％、亜鉛０．０４％、セレン０．５２％などの６０〜７０種類のミネラルとアミノ酸を含み、さらにフミン酸鉄を３．０％含むものである。
【００２６】
図１は、枯れたサンプルの松の写真を示す図である。図１のサンプルの松は、本発明の実施例の松枯れ防止剤を土壌に撒布しなかったものである。図１のサンプルの松は、平成２８年１１月の時点では立ち枯れしていない元気な松であったが、平成２９年８月の時点では立ち枯れした松である。この松は、平成２９年８月の時点で、ザイセンチュウの存在をＤＮＡ鑑定で確認できた。図１のサンプルの松の松ヤニを確認したところ、ｐＨは５．５であり、木片はパサパサで水分も少なかった。また、土壌のｐＨは５．５〜６であった。
【００２７】
図２は、枯れたサンプルの松の幹の写真を示す図である。図１、２の撮影日はいずれも平成２９年１１月２４日である。枯れたサンプルの松の幹には、図２に示すように、キツツキによると思われる傷跡が見られた。この傷跡は、キツツキがカミキリの幼虫や卵を漁ったときについたものと思われる。
【００２８】
他のサンプルの松は、平成２７年１２月の時点では立ち枯れしていない元気な松であり、実施例の松枯れ防止剤を平成２７年１２月に土壌に撒布したものである。これらの松は、いずれも平成２８年９月および平成２９年９月の時点で枯れが無く、元気であった。また、これらの松は、平成２９年８月のＤＮＡ鑑定によれば、ザイセンチュウは存在しなかった。
【００２９】
図３は、元気なサンプルの松の写真を示す図であり、図４はサンプルの松の幹に穴を開けた写真を示す図である。撮影日はいずれも平成２９年９月２４日である。図３に示すように、同状況の経緯のサンプル松は枯れておらず元気であり、かつ、幹に穴を開けたところ、図４に示すように松ヤニが多量に滲み出てきた。松ヤニのｐＨは６．５であった。また、土壌のｐＨは６．３であった。
【図１】
2019141016.tif 000003
【図２】
2019141016.tif 000004
【図３】
2019141016.tif 000005
【図４】
2019141016.tif 000006
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
多くのミネラル、アミノ酸、良質の微生物及びフルボ酸鉄を含むかき殻にさらにフルボ酸鉄またはフミン酸鉄を添加した松枯れ防止剤を１１月頃〜２月頃に松に与え、前記松が分泌する松ヤニの量を増加させ、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止することを特徴とする松枯れ防止方法。
【請求項２】
前記松枯れ防止剤に、フルボ酸をさらに添加することを特徴とする請求項１に記載の松枯れ防止方法。
【請求項３】
１１月頃〜２月頃に松に与えることによって、前記松が分泌する松ヤニの量を増加させて、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止する松枯れ防止剤であって、フルボ酸鉄を含むかき殻にさらにフルボ酸鉄またはフミン酸鉄を添加してなることを特徴とする松枯れ防止剤。
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
多くのミネラル、アミノ酸、良質の微生物及びフルボ酸鉄を含むかき殻にさらにフルボ酸鉄またはフミン酸鉄を添加した松枯れ防止剤を１１月〜２月に松に与え、前記松が分泌する松ヤニの量を増加させ、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止することを特徴とする松枯れ防止方法。
【請求項２】
前記松枯れ防止剤に、フルボ酸をさらに添加することを特徴とする請求項１に記載の松枯れ防止方法。
【請求項３】
１１月〜２月に松に与えることによって、前記松が分泌する松ヤニの量を増加させて、前記松ヤニと前記松に寄生するマツノザイセンチュウの体液との浸透圧差および前記松ヤニのｐＨが７．５に近い値になることによってマツノザイセンチュウの侵入を防止または殺虫し、かつマツノザイセンチュウを媒介するマダラカミキリムシに卵を産ませないまたは産んだ卵を駆除することによって、前記松の松枯れを防止する松枯れ防止剤であって、フルボ酸鉄を含むかき殻にさらにフルボ酸鉄またはフミン酸鉄を添加してなることを特徴とする松枯れ防止剤。